(57)【特許請求の範囲】
【請求項１】
内部にランプ装着部を有した下方に開口せる器具本体と、器具本体の下方開口に取付手段を介して着脱自在に取り付ける配光部材と、取付手段から取外した配光部材の落下を防止する吊手段とを備え、吊手段が、一端を配光部材に取り付けた索体と、器具本体に穿設して索体の他端側を支持する索体支持孔とを有する照明器具において、索体支持孔を、索体の他端側に設けた索体径よりも太径の引掛部を導入する導入孔部と、索体の引掛部を孔縁に引っ掛ける引掛孔部と、導入孔部と引掛孔部とを連通させるように索体径と略同幅で形成したスリット状の通孔部とを有するものとし、索体として紐を用い、この紐を結んで形成した塊状の結び目で引掛部を形成し、導入孔部の開口縁の通孔部に至る部分を、滑らかに連続する縁形状に形成し、引掛孔部の開口縁の通孔部に至る部分には、角形状からなるストッパ縁部を形成することで、導入孔部から通孔部を経て引掛孔部にまで至る索体の移動は妨げず、且つ、引掛孔部から通孔部を経て導入孔部にまで至る索体の移動は阻止可能となるように設けたことを特徴とする照明器具。
【発明の詳細な説明】
【技術分野】
【０００１】
本発明は、照明器具に関するものである。
【背景技術】
【０００２】
従来から、内部にランプ装着部を有した下方に開口せる器具本体と、器具本体の下方開口に取付手段を介して着脱自在に取り付ける配光部材とを備えた照明器具には、ランプ取替えの際などに取付手段の取付解除をして器具本体から配光部材を外した状態にしても、配光部材を器具本体から落下しないように吊り下げる吊手段を備えることが行われている（たとえば特許文献１参照）。
【０００３】
この吊手段としては、たとえば特許文献２を参考に、一端を配光部材５に取り付けた索体７と、器具本体２に穿設して索体７の他端側を支持する索体支持孔８とを備え、索体支持孔８としては図７のように、索体７の他端側に設けた索体径よりも太径の引掛部を導入する導入孔部９と、索体７の引掛部を孔縁に引っ掛ける引掛孔部１０と、導入孔部９と引掛孔部１０とを連通する索体径と略同幅の通孔部１１とを有して形成したものを採用することができる。
【０００４】
このような吊手段６は、簡単な構造で、配光部材５を完全に器具本体２から取り外すことも対応可能で、またランプ１５取替え時に配光部材５から手を離して配光部材５の自重を索体７に張力として働かせて器具本体２に吊持可能にできる利点を有するものであるが、たとえばランプ１５の取替え後に配光部材５を器具本体２に付け返す時など、配光部材５を手で持ち上げようとして索体７に張力がかからなくなった場合に、矢印Ｃのように、撓んだ索体７が引掛孔部１０から通孔部１１を経て導入孔部９に至って索体支持孔８から索体７が抜け落ちる事態を発生させる恐れがある、という問題を有するものであった。
【特許文献１】特開２００６−１３４６１７号公報
【特許文献２】特開２００６−１２５３５号公報
【発明の開示】
【発明が解決しようとする課題】
【０００５】
本発明は上記の点に鑑みてなされたものであり、その目的とするところは、索体が撓んだ状態になっても索体が引掛孔部から通孔部を経て導入孔部に至って索体支持孔から抜け落ちることを簡単な構造で防止できる照明器具を提供することにある。
【課題を解決するための手段】
【０００６】
上記課題を解決するために請求項１に係る照明器具にあっては、内部にランプ装着部３を有した下方に開口せる器具本体２と、器具本体２の下方開口に取付手段４を介して着脱自在に取り付ける配光部材５と、取付手段４から取外した配光部材５の落下を防止する吊手段６とを備え、吊手段６が、一端を配光部材５に取り付けた索体７と、器具本体２に穿設して索体７の他端側を支持する索体支持孔８とを有する照明器具において、索体支持孔８を、索体７の他端側に設けた索体径よりも太径の引掛部７ａを導入する導入孔部９と、索体７の引掛部７ａを孔縁に引っ掛ける引掛孔部１０と、導入孔部９と引掛孔部１０とを連通させるように索体径と略同幅で形成したスリット状の通孔部１１とを有するものとし、索体７として紐を用い、この紐を結んで形成した塊状の結び目で引掛部７ａを形成し、導入孔部９の開口縁の通孔部１１に至る部分を、滑らかに連続する縁形状に形成し、引掛孔部１０の開口縁の通孔部１１に至る部分には、角形状からなるストッパ縁部１２を形成することで、導入孔部９から通孔部１１を経て引掛孔部１０にまで至る索体７の移動は妨げず、且つ、引掛孔部１０から通孔部１１を経て導入孔部９にまで至る索体７の移動は阻止可能となるように設けたことを特徴とする。
【０００７】
これによると、引掛孔部１０における通孔部１１への開口縁に、その縁形状に工夫を施すように形成したストッパ縁部１２によって、索体７の導入孔部９から引掛孔部１０への移動は妨げず且つ索体７の引掛孔部１０から導入孔部９への移動は阻止可能にすることができ、つまり、索体７が撓んだ状態になっても、索体７が引掛孔部１０から通孔部１１を経て導入孔部９に至って索体支持孔８から抜け落ちることを簡単な構造で防止することができるのである。
【発明の効果】
【０００８】
本発明にあっては、索体が撓んだ状態になっても、索体が引掛孔部から通孔部を経て導入孔部に至って索体支持孔から抜け落ちることを簡単な構造で防止できる、という利点を有する。
【発明を実施するための最良の形態】
【０００９】
以下、本発明を添付図面に示す実施形態に基いて説明する。
【００１０】
本例の照明器具１は、図２のように天井配設型の照明器具１であって、内部にランプ装着部３を有した下方に開口せる器具本体２と、器具本体２の下方開口に取付手段４を介して着脱自在に取り付ける配光部材５と、取付手段４から取外した配光部材５の落下を防止する吊手段６とを備えている。
【００１１】
器具本体２は、天面板部１３ａの四周からそれぞれ側板部１３ｂを垂設して下方に開口せる長尺矩形函状の主体部１３を有し、この主体部１３の内部には直管蛍光灯であるランプ１５を着脱自在に取り付けるランプ装着部３が設けられると共に、ランプ装着部３に装着して主体部１３内に収容されたランプ１５が発する光を下方へ効率よく照射させるためにランプ装着部３の上方位置には傘状の反射板１４が配設されている。反射板１４からは一対の係合片４ａが垂下されており、この係合片４ａに配光部材５に設けた被係合部４ｂを引っ掛け係合させることで、配光部材５を主体部１３の下方開口に配設可能にしている。このように取付手段４は本例では係合片４ａと被係合部４ｂとで構成しているが、他の手段を用いることもできる。また、本例の配光部材５はランプ１５の光に指向性をもたせるルーバー部材５ａで構成されているが、配光部材５としてはシェードや下方開口を覆うカバーで構成することもできる。
【００１２】
吊手段６は、一端を配光部材５に取り付けた索体７と、器具本体２に穿設して索体７の他端側に設けた索体径よりも太径の引掛部７ａを引っ掛け支持する索体支持孔８とを有している。本例の索体７には紐が用いられ、引掛部７ａは紐を結んで形成した塊状の結び目で構成させている。索体支持孔８は、図１のように、索体７の他端側に設けた引掛部７ａを導入する導入孔部９と、索体７の引掛部７ａを孔縁に引っ掛ける引掛孔部１０と、導入孔部９と引掛孔部１０とを連通する索体径と略同幅のスリット状の通孔部１１とを有し、だるま孔状に形成されている。詳しくは、索体支持孔８と索体７との寸法関係は、図１，３のように、索体７の径、引掛部７ａの径、導入孔部９の孔径、通孔部１１の幅、引掛孔部１０の孔径をそれぞれ順にａ，ｂ，ｃ，ｄ，ｅとすると、ｃ＞ｂ、ａ＜ｄ、ｅ＜ｂの関係を有する。すなわち、索体７は、図１の矢印Ａのように、その引掛部７ａを索体支持孔８に導入孔部９の表側からその裏側に向けて挿入し、索体７の通常部位（引掛部７ａよりも配光部材５側の部位）を通孔部１１に通して引掛孔部１０に至らせ、索体７を配光部材５側に張力（矢印Ｂ）を働かせることで索体７が引掛孔部１０から逃れないように安定的にその引掛部７ａを引掛孔部１０の裏側縁に引っ掛け係止させることが可能にされている。なお、本例の索体支持孔８は、導入孔部９が上方に位置されて引掛孔部１０が下方に位置されるように主体部１３の側板部１３ｂに穿設されているが、配光部材５の自重を索体７に張力として働かせたときに安定的に引掛部７ａが引掛孔部１０に引っ掛け係止可能であれば、器具本体２の任意位置に設けることもできる。
【００１３】
ところで、索体支持孔８として従来の図７のような形状のもの、すなわち引掛孔部１０における通孔部１１への開口縁が滑らかに連続する曲線縁形状（Ｒ縁形状）に形成されていると、たとえばランプ１５の取替え後に配光部材５を器具本体２に付け返す時など、配光部材５を手で持ち上げようとして索体７に張力がかからなくなった場合に、撓んだ索体７が引掛孔部１０から通孔部１１を経て導入孔部９に至って索体支持孔８から索体７が抜け落ちる事態を発生させる恐れがあったが、本例の索体支持孔８では引掛孔部１０における通孔部１１への開口縁の形状に工夫を施すことで、上記索体７が抜け落ちる事態を回避している。
【００１４】
すなわち、本例の索体支持孔８では、引掛孔部１０における通孔部１１への開口縁形状に、索体７の導入孔部９から引掛孔部１０への移動は妨げず且つ索体７の引掛孔部１０から導入孔部９への移動は引っ掛かって阻止可能にできる、角形状のストッパ縁部１２を形成させている。ストッパ縁部１２はたとえば図３乃至図５のように形成できる。
【００１５】
図３の索体支持孔８の引掛孔部１０における通孔部１１への開口縁では、通孔部１１の直線状孔縁に対して円孔状の引掛孔部１０の円状孔縁が略垂直に近接して、略９０度の角形状で両縁が接続されているが、この通孔部１１の直線状孔縁と引掛孔部１０の円状孔縁との略９０°角の角形状接続部分１２ａがストッパ縁部１２を構成している。
【００１６】
また図４の索体支持孔８の引掛孔部１０における通孔部１１への開口縁では、通孔部１１の直線状孔縁に対して矩形孔状の引掛孔部１０の直線状孔縁が略垂直に近接して、略９０°角の角形状で両縁が接続されているが、この通孔部１１の直線状孔縁と引掛孔部１０の直線状孔縁との直角形状接続部分１２ｂがストッパ縁部１２を構成している。
【００１７】
また図５の索体支持孔８の引掛孔部１０における通孔部１１への開口縁では、通孔部１１の直線状孔縁に対して多角形孔状の引掛孔部１０の直線状孔縁が鋭角を成すように近接して、鋭角の角形状で両縁が接続されているが、この通孔部１１の直線状孔縁と引掛孔部１０の直線状孔縁との鋭角形状接続部分１２ｃがストッパ縁部１２を構成している。
【００１８】
上記引掛孔部１０における通孔部１１への開口縁に形成したストッパ縁部１２によると、索体７の導入孔部９から引掛孔部１０への移動は妨げることはなく、且つ、張力がかからず撓んだ状態の索体７が引掛孔部１０から通孔部１１に入ろうとする際には、通孔部１１の中心線上に索体７の中心がぴったり位置するという極めて稀な状態にない限り、索体７が引っ掛かって通孔部１１への移動が阻害されるようになる。このように本例の照明器具１では、索体７が撓んだ状態になっても、索体７が引掛孔部１０から通孔部１１を経て導入孔部９に至って索体支持孔８から抜け落ちることを、引掛孔部１０における通孔部１１への開口縁形状にストッパ縁部１２を形成するという簡単な構造で、防止することができたのである。
【００１９】
なお、本例の索体支持孔８の穿設方法としては、図６のように最終的に索体支持孔８の全体形状になるように導入孔部９の構成部位９ａ、通孔部１１の構成部位１１ａ、引掛孔部１０の構成部位１０ａを個別に分けて数回のパンチで穿孔加工をするというタレットパンチプレスで行うのが好ましい。これによると、索体支持孔８の孔形状に合わせた個別の金型を用いること無しに索体支持孔８を形成できて、製造コストの低廉化を図ることができる。
【００２０】
上記実施形態では、導入孔部９は円孔状に形成されているが、たとえば図６のように矩形孔状など、任意の孔形状に形成してもよい。また、上記実施形態では索体支持孔８は一定幅で長さのある通孔部１１を有して成る変形だるま孔状に形成されているが、索体支持孔８は、一定幅で長さの殆ど無い通孔部１１を有したもの、つまり導入孔部９が引掛孔部１０に直接連通されて成る、２連の孔で形成された一般に言うだるま孔状に形成してもよい。この場合、導入孔部９と引掛孔部１０との連通部位を通孔部１１と言うことができる。
【図面の簡単な説明】
【００２１】
【図１】本発明の実施の形態の例の照明器具であり、（ａ）は索体の索体支持孔への引っ掛け係止作業を説明する照明器具の要部の斜視図であり、（ｂ）は索体を引っ掛け係止した状態の索体支持孔近傍の斜視図である。
【図２】同上の照明器具の分解斜視図である。
【図３】同上の索体支持孔の一例の正面図である。
【図４】同上の索体支持孔の他例の正面図である。
【図５】同上の索体支持孔の更に他例の正面図である。
【図６】（ａ）（ｂ）（ｃ）は同上の索体支持孔の製造について説明する説明図である。
【図７】従来技術の例の索体支持孔における問題点を説明する説明図である。
【符号の説明】
【００２２】
１  照明器具
２  器具本体
３  ランプ装着部
４  取付手段
５  配光部材
６  吊手段
７  索体
７ａ  引掛部
８  索体支持孔
９  導入孔部
１０  引掛孔部
１１  通孔部
１２  ストッパ縁部
【図１】
0005179123.tif 000002
【図２】
0005179123.tif 000003
【図３】
0005179123.tif 000004
【図４】
0005179123.tif 000005
【図５】
0005179123.tif 000006
【図６】
0005179123.tif 000007
【図７】
0005179123.tif 000008